【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
視聴者により購入されたペイパービュー番組の課金処理を行うために放送センター側に周期的に回収される購入番組課金情報を格納処理するＩＣカードのリーダライタと、番組の映像・音声データを蓄積する番組蓄積手段とを備えた有料放送受信装置であって、
視聴者が視聴のために購入するか否かを検討するために前記番組蓄積手段に蓄積しておくことを選択したペイパービュー番組である購入検討番組を特定する情報を、入力インターフェースより取得しメモリに格納する、蓄積予約処理部と、
前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する、番組蓄積処理部と、
前記番組蓄積手段に蓄積された購入検討番組のうち、視聴者が視聴のための購入を決定した購入決定番組を特定する情報を入力インターフェースより取得し、当該購入決定番組を特定する情報に基づいて、当該購入決定番組の前記購入番組課金情報を、前記ＩＣカードに格納処理させるべく前記リーダライタに送信する、課金処理部と、
入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする、デスクランブル部と、
を備えたことを特徴とする、有料放送受信装置。
【請求項２】
前記番組蓄積処理部において前記購入検討番組の映像・音声データを前記番組蓄積手段に蓄積する際に、当該購入検討番組の前記購入番組課金情報をメモリに格納する、擬似購入処理部を備えることを特徴とする、
請求項１に記載の有料放送受信装置。
【請求項３】
前記疑似購入処理部は、前記ＩＣカードと同じ認証用情報と処理機能とを備えて、前記放送センター側の装置から見て前記ＩＣカードと認識可能なものであることを特徴とする、請求項２に記載の有料放送受信装置。
【請求項４】
前記番組蓄積手段に蓄積された各購入検討番組について、前記番組蓄積手段に蓄積された当該各購入検討番組のスクランブルされた映像・音声データに含まれるプレビューを、入力インターフェースより取得する視聴者のプレビュー視聴要求に基づいて再生する、プレビュー再生部を備えることを特徴とする、
請求項１〜３のいずれかに記載の有料放送受信装置。
【請求項５】
前記デスクランブル部においてデスクランブルされ視聴可能とされた、前記番組蓄積手段に蓄積された前記購入決定番組のうち、そのＥＣＭにおいて属性が録画不可と設定されているものについては、所定の視聴可能期限後に前記番組蓄積手段から強制削除する、録画不可番組削除部を備えることを特徴とする、
請求項１〜４のいずれかに記載の有料放送受信装置。
【請求項６】
視聴者により購入されたペイパービュー番組の課金処理を行うために放送センター側に周期的に回収される購入番組課金情報を格納処理するＩＣカードのリーダライタと、番組の映像・音声データを蓄積する番組蓄積手段とを備えたコンピュータが、
視聴者が視聴のために購入するか否かを検討するために前記番組蓄積手段に蓄積しておくことを選択したペイパービュー番組である購入検討番組を特定する情報を、入力インターフェースより取得し、メモリに格納する処理と、
前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する処理と、
前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信する処理と、
入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする処理と、
を実行することを特徴とする有料放送受信方法。
【請求項７】
視聴者により購入されたペイパービュー番組の課金処理を行うために放送センター側に周期的に回収される購入番組課金情報を格納処理するＩＣカードのリーダライタと、番組の映像・音声データを蓄積する番組蓄積手段とを備えたコンピュータに、
視聴者が視聴のために購入するか否かを検討するために前記番組蓄積手段に蓄積しておくことを選択したペイパービュー番組である購入検討番組を特定する情報を、入力インターフェースより取得し、メモリに格納するステップと、
前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納するステップと、
前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信するステップと、
入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とするステップと、
を実行させる有料放送受信プログラム。 
【手続補正２】
【補正対象書類名】明細書
【補正対象項目名】０００８
【補正方法】変更
【補正の内容】
【０００８】
上記課題を解決する本発明の有料放送受信装置は、視聴者により購入されたペイパービュー番組の課金処理を行うために放送センター側に周期的に回収される購入番組課金情報を格納処理するＩＣカードのリーダライタと、番組の映像・音声データを蓄積する番組蓄積手段とを備えた有料放送受信装置であって、視聴者が視聴のために購入するか否かを検討するために前記番組蓄積手段に蓄積しておくことを選択したペイパービュー番組である購入検討番組を特定する情報を、入力インターフェースより取得し、メモリに格納する、蓄積予約処理部と、前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する、番組蓄積処理部と、前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信する、課金処理部と、入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする、デスクランブル部と、を備えたことを特徴とする。
【手続補正３】
【補正対象書類名】明細書
【補正対象項目名】００１３
【補正方法】変更
【補正の内容】
【００１３】
また、本発明の有料放送受信方法は、視聴者により購入されたペイパービュー番組の課金処理を行うために放送センター側に周期的に回収される購入番組課金情報を格納処理するＩＣカードのリーダライタと、番組の映像・音声データを蓄積する番組蓄積手段とを備えたコンピュータが、視聴者が視聴のために購入するか否かを検討するために前記番組蓄積手段に蓄積しておくことを選択したペイパービュー番組である購入検討番組を特定する情報を、入力インターフェースより取得し、メモリに格納する処理と、前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する処理と、前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信する処理と、入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする処理と、を実行することを特徴とする。
【手続補正４】
【補正対象書類名】明細書
【補正対象項目名】００１４
【補正方法】変更
【補正の内容】
【００１４】
また、本発明の有料放送受信プログラムは、視聴者により購入されたペイパービュー番組の課金処理を行うために放送センター側に周期的に回収される購入番組課金情報を格納処理するＩＣカードのリーダライタと、番組の映像・音声データを蓄積する番組蓄積手段とを備えたコンピュータに、視聴者が視聴のために購入するか否かを検討するために前記番組蓄積手段に蓄積しておくことを選択したペイパービュー番組である購入検討番組を特定する情報を、入力インターフェースより取得し、メモリに格納するステップと、前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納するステップと、前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信するステップと、入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とするステップと、を実行させることを特徴とする。